(57)【要約】【課題】原稿搬送装置における原稿の給紙不良を防止する。【解決手段】原稿載置トレイ６１は、原稿搬送機構６５の給紙口に連結される原稿載置テーブル６１１と、原稿載置テーブル６１１上面の原稿搬送機構６５の給紙口側端に配設され、原稿幅方向に摺動可能に構成されたカーソル６１２と、カーソル６１２に立設され、原稿載置テーブル６１１に載置された原稿に原稿幅方向から当接して該原稿の幅を規制する原稿幅ガイド６１３と、原稿幅ガイド６１３上部においてカーソル６１２と対向配設され、原稿搬送機構６５の給紙口に給紙される原稿の上限位置を規制する原稿挿入ガイド６１４とを備え、原稿搬送機構６５の上カバー６５１の先端部６５１ａが原稿挿入ガイド６１４に覆い被さり、上カバー６５１と原稿挿入ガイド６１４との開口Ｇに挿入された原稿が原稿搬送機構６５の給紙口へ進入するのを阻止するためのリブ６１５が原稿挿入ガイド６１４上に突設されている。【選択図】図３
2015187028.tif 000002
【特許請求の範囲】
【請求項１】
原稿を１枚ずつ搬送する原稿搬送機構の給紙口に連結される原稿載置テーブルと、
前記原稿載置テーブル上面において前記原稿搬送機構の給紙口に対して原稿搬送方向上流側に配設され、原稿搬送方向に直交する原稿幅方向に摺動可能に構成されたカーソルと、
前記カーソルに立設され、前記原稿載置テーブルに載置された原稿に前記原稿幅方向から当接して該原稿の幅を規制する原稿幅ガイドと、
前記原稿幅ガイド上部において前記カーソルと対向配設され、前記原稿搬送機構に載置されて前記給紙口に給紙される原稿の上限位置を規制する原稿挿入ガイドと、
先端部が前記原稿挿入ガイドの上方位置に配設された、前記原稿搬送機構の上カバーと、
前記原稿挿入ガイドの上面に突設され、当該原稿挿入ガイドの上面に対して上方に配設される前記上カバーの最下部よりも高い位置まで延びるリブと、を備える原稿載置トレイ。
【請求項２】
前記リブは、当該リブよりも原稿搬送方向下流側において前記原稿挿入ガイドの上面に対して上方に配設される前記上カバーの最下端部よりも高い位置まで延びる請求項１に記載の原稿載置トレイ。
【請求項３】
前記リブは、当該リブよりも原稿搬送方向上流側に位置する前記上カバーの最下端部よりも高い位置まで延びる請求項２に記載の原稿載置トレイ。
【請求項４】
前記カーソルが前記原稿幅方向の両端部に配設され、これらカーソルが原稿幅方向の中心線に対して連動して左右対称に摺動するように構成されている請求項１乃至請求項３のいずれかに記載の原稿載置トレイ。
【請求項５】
請求項１乃至請求項４のいずれかに記載の原稿載置トレイと、
前記原稿載置トレイに載置された原稿を１枚ずつ搬送する原稿搬送機構と、
前記原稿搬送機構から排出される原稿が積載される原稿排出トレイと、を備えた原稿搬送装置。
【請求項６】
請求項１乃至請求項４のいずれかに記載の原稿載置トレイと、
前記原稿載置トレイに載置された原稿を１枚ずつ搬送する原稿搬送機構と、
前記原稿搬送機構から排出される原稿が積載される原稿排出トレイと、
前記原稿搬送機構により搬送される原稿上の画像を読み取る原稿読取部と、
前記原稿読取部による読取で取得された原稿画像に基づいて画像形成を行う画像形成部と、を備えた画像形成装置。
【発明の詳細な説明】
【技術分野】
【０００１】
本発明は、原稿載置トレイ、原稿搬送装置及び画像形成装置に関し、特に、原稿の給紙不良を防止する技術に関する。
【背景技術】
【０００２】
コピー機、ファクシミリ装置、スキャナー装置、又はそれらの複合機等の画像形成装置の多くには自動原稿搬送装置が搭載されている。自動原稿搬送装置は、原稿載置トレイに載置された複数枚の原稿を原稿搬送機構によって１枚ずつ繰り出して原稿読取部に搬送する。
【０００３】
原稿の用紙サイズは様々であるため、原稿載置トレイには、載置された原稿の幅を規制して揃える原稿幅ガイドが設けられている。さらに、原稿載置トレイに大量の原稿が載置されて厚みが過大になると、原稿搬送機構が正しく給紙できなくなり、給紙不良や耳折れ等の不具合が生じてしまうことがある。このため、例えば、特許文献１に示されるように、原稿幅ガイド上部に、載置された原稿の上限位置を規制する原稿挿入ガイドが設けられている。これにより、一定量以上の原稿の載置を規制している。
【先行技術文献】
【特許文献】
【０００４】
【特許文献１】特開２００６−８２８８５号公報（図１）
【発明の概要】
【発明が解決しようとする課題】
【０００５】
原稿載置トレイに原稿挿入ガイドを設けた場合、原稿載置トレイに載置されて厚みが過大になった原稿が原稿挿入ガイドに乗り上げ、この原稿が原稿搬送機構の上カバーと原稿挿入ガイドと隙間を通って原稿搬送機構に入れ込むおそれがある。この場合、給紙不良や耳折れ等の不具合が生じてしまうおそれがある。すなわち、原稿載置トレイに原稿挿入ガイドを設けていても、ユーザーが原稿挿入ガイドに従って原稿を正しく載置しなければ、原稿の給紙不良や耳折れ等の不具合が生じるおそれがある。
【０００６】
本発明は、上記の問題を解決するためになされたもので、原稿搬送装置における原稿の給紙不良を確実に防止することを目的とする。
【課題を解決するための手段】
【０００７】
本発明の一局面に係る原稿載置トレイは、原稿を１枚ずつ搬送する原稿搬送機構の給紙口に連結される原稿載置テーブルと、
前記原稿載置テーブル上面において前記原稿搬送機構の給紙口に対して原稿搬送方向上流側に配設され、原稿搬送方向に直交する原稿幅方向に摺動可能に構成されたカーソルと、
前記カーソルに立設され、前記原稿載置テーブルに載置された原稿に前記原稿幅方向から当接して該原稿の幅を規制する原稿幅ガイドと、
前記原稿幅ガイド上部において前記カーソルと対向配設され、前記原稿搬送機構に載置されて前記給紙口に給紙される原稿の上限位置を規制する原稿挿入ガイドと、
先端部が前記原稿挿入ガイドの上方位置に配設された、前記原稿搬送機構の上カバーと、
前記原稿挿入ガイドの上面に突設され、当該原稿挿入ガイドの上面に対して上方に配設される前記上カバーの最下部よりも高い位置まで延びるリブと、を備えるものである。
【発明の効果】
【０００８】
本発明によれば、原稿搬送装置における原稿の給紙不良を確実に防止することができる。
【図面の簡単な説明】
【０００９】
【図１】本発明の一実施形態に係る原稿搬送装置を備えた画像形成装置の構造を示す正面断面図である。
【図２】（Ａ）は原稿搬送装置の斜視図であり、（Ｂ）は反対の角度からの原稿搬送装置の斜視図である。
【図３】本発明の一実施形態に係る原稿載置トレイの斜視図である。
【図４】図３の原稿載置トレイにおける原稿幅ガイドの拡大図である。
【図５】原稿搬送機構の給紙口付近の断面図である。
【発明を実施するための形態】
【００１０】
以下、本発明の一実施形態に係る原稿載置トレイ、原稿搬送装置及び画像形成装置について図面を参照して説明する。図１は、本発明の一実施形態に係る原稿搬送装置を備えた画像形成装置の構造を示す正面断面図である。画像形成装置１は、例えば、コピー機能、プリンター機能、スキャナー機能、及びファクシミリ機能等の複数の機能を兼ね備えた複合機である。
【００１１】
画像形成装置１は、装置本体１１と、装置本体１１の上方に対向配置された原稿読取装置２０と、原稿読取装置２０と装置本体１１との間に設けられた連結部３０とから概略構成される。
【００１２】
原稿読取装置２０は、連結部３０の上端部に支持されている。原稿読取装置２０は、原稿読取部５と、原稿搬送装置６とを備えている。
【００１３】
原稿読取部５は、原稿読取部筐体の上面開口に装着された、原稿を載置するためのコンタクトガラス１６１を備えている。コンタクトガラス１６１には、載置された原稿を読み取る原稿固定読取部（図略）と、原稿搬送装置６により搬送される原稿を読み取る原稿搬送読取部（図略）とがある。原稿読取部５は、さらに、コンタクトガラス１６１に載置された原稿を押さえる開閉自在の原稿押さえカバー１６２と、コンタクトガラス１６１の原稿固定読取部に載置された原稿、及びコンタクトガラス１６１の原稿搬送読取部へ搬送される原稿の各画像を読み取る読取ユニット１６３とを備えている。読取ユニット１６３は、ＣＣＤ（Charge Coupled Device）やＣＭＯＳ（Complementary Metal Oxide Semiconductor）等のイメージセンサーを用いて原稿の画像を光学的に読み取り、画像データを生成する。
【００１４】
図２（Ａ）は、原稿搬送装置６の斜視図である。また、図２（Ｂ）は、反対の角度からの原稿搬送装置６の斜視図である。原稿搬送装置６は、原稿が載置される原稿載置トレイ６１と、原稿搬送機構６５と、画像読み取り済みの原稿が排出される原稿排出トレイ６６と、を備える。
【００１５】
原稿搬送機構６５は、図略の給紙ローラー、搬送ローラー、及び用紙反転機構を備えている。原稿搬送機構６５は、給紙ローラー及び搬送ローラーの駆動により、原稿載置トレイ６１に載置された原稿を１枚ずつ繰り出してコンタクトガラス１６１の原稿搬送読取部へ搬送して読取ユニット１６３による読取を可能とした後、原稿排出トレイ６６へと排出する。また、原稿搬送機構６５は、用紙反転機構が原稿を表裏反転させてコンタクトガラス１６１の原稿搬送読取部へ再搬送することで、当該原稿の両面の画像を読取ユニット１６３により読取可能にしている。
【００１６】
原稿搬送機構６５は、後方下端部（図２（Ａ）では左側下端部、図２（Ｂ）では図の右側下端部）の原稿幅方向（原稿搬送方向に直交する方向）の軸を中心に回動する上カバー６５１が設けられている。原稿搬送機構６５に紙詰まり等が発生した場合に、ユーザーが上カバー６５１を開けて詰まった原稿を取り除けるようになっている。
【００１７】
さらに原稿搬送装置６は、その前面側が上方に移動可能となるように原稿読取部５に対して回動自在に設けられている。原稿搬送装置６の前面側を上方に移動させて原稿台としてのコンタクトガラス１６１上面を開放することにより、コンタクトガラス１６１の上面に読み取り原稿、例えば見開き状態にされた書籍等をユーザーが載置できるようになっている。
【００１８】
図１へ戻り、画像形成装置１の説明を続ける。原稿読取装置２０の前面に操作部４７が配置されている。操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１９】
装置本体１１は、画像形成部１２、定着部１３、給紙部１４、用紙排出部１５等を備えて構成されている。
【００２０】
画像形成装置１が原稿読取動作を行う場合、原稿搬送装置６により搬送されてくる原稿、又はコンタクトガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００２１】
画像形成装置１が画像形成動作を行う場合は、上記原稿読取動作により生成された画像データ、又はネットワーク接続されたコンピューターやスマートフォン等のユーザー端末装置から受信した画像データ、又は内蔵ＨＤＤに記憶されている画像データ等に基づいて、画像形成部１２が、給紙部１４から給紙される記録媒体としての用紙Ｐにトナー像を形成する。画像形成部１２の画像形成ユニット１２Ｍ、１２Ｃ、１２Ｙ、及び１２Ｂｋは、感光体ドラムと、感光体ドラムへトナーを供給する現像装置と、トナーを収容するトナーカートリッジと、帯電装置と、露光装置と、１次転写ローラー１２６とをそれぞれ備えている。
【００２２】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を１次転写ローラー１２６により、駆動ローラー１２５ａ及び従動ローラー１２５ｂに張架されている中間転写ベルト１２５上に転写させる。
【００２３】
中間転写ベルト１２５は、その外周面にトナー像が転写される像担持面が設定され、感光体ドラム１２１の周面に当接した状態で駆動ローラー１２５ａによって駆動される。中間転写ベルト１２５は、各感光体ドラム１２１と同期しながら、駆動ローラー１２５ａと従動ローラー１２５ｂとの間を無端走行する。
【００２４】
中間転写ベルト１２５上に転写される各色のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を熱圧着により用紙Ｐに定着させる。定着処理の完了したカラー画像形成済みの用紙Ｐは、排出トレイ１５１に排出される。
【００２５】
給紙部１４は、手差しトレイ１４１を含む複数の給紙カセットを備える。図示しない制御部は、操作者による指示で指定されたサイズの用紙が収容された給紙カセットのピックアップローラー１４５を回転駆動させて、各給紙カセットに収容されている用紙Ｐを上記ニップ部Ｎに向けて搬送させる。
【００２６】
次に、本発明の一実施形態に係る原稿載置トレイについて図面を参照して説明する。図３は、本発明の一実施形態に係る原稿載置トレイ６１の斜視図である。図４は、図３の原稿載置トレイ６１における原稿幅ガイドの拡大図である。図５は、原稿搬送機構６５の給紙口付近の断面図である。
【００２７】
原稿載置トレイ６１は原稿載置テーブル６１１を備える。原稿載置テーブル６１１は、原稿搬送機構６５の給紙口に連接され、原稿載置テーブル６１１に載置された原稿が１枚ずつ原稿搬送機構６５に給紙される。
【００２８】
原稿載置テーブル６１１上面の原稿搬送機構６５の給紙口側端に、略矩形の扁平形状のカーソル６１２が配設されている。カーソル６１２は、原稿載置テーブル６１１の上面において原稿搬送機構６５の給紙口に対して原稿搬送方向上流側に配設されている。カーソル６１２は、原稿幅方向に摺動可能に構成されている。具体的には、カーソル６１２の下面には給紙方向に一定の離隔で２つの突起が突設されている。また、原稿載置テーブル６１１には同じく給紙方向に一定の離隔で２本の溝が形成されている。そして、カーソル６１２の下面の２つの突起が原稿載置テーブル６１１の２本の溝に嵌入してガイドされることで、カーソル６１２は原稿幅方向に摺動可能になっている。
【００２９】
さらに、カーソル６１２は原稿幅方向の左右に配設されている。これら２個のカーソル６１２は、図示しない連動機構によって連動するようになっており、原稿幅方向の中心線に対して連動して左右対称に摺動する。すなわち、２個のカーソル６１２は、相互に接近又は離隔するようになっている。
【００３０】
カーソル６１２の原稿幅方向側端において原稿幅ガイド６１３が壁状に立設されている。原稿幅ガイド６１３は、平板部材で形成され、原稿載置テーブル６１１に載置された原稿に原稿幅方向から当接して原稿の幅を規制する。
【００３１】
上述したように２個のカーソル６１２が相互に接近又は離隔するように連動して摺動するため、原稿載置テーブル６１１に載置される原稿の用紙サイズに拘わらず、原稿の幅中心が常に同じ位置に揃えられる。
【００３２】
原稿幅ガイド６１３の上部であって、原稿載置側となる内側面部には、原稿に当接する面から原稿挿入ガイド６１４が突設されている。すなわち、原稿挿入ガイド６１４がカーソル６１２と対向して配設されている。これにより、原稿載置テーブル６１１に載置される原稿の積載高さがカーソル６１２と原稿挿入ガイド６１４との対向範囲内に制限される。また、原稿挿入ガイド６１４が原稿搬送機構６５の給紙口に給紙される原稿の上限位置を規制することで、原稿搬送機構６５の給紙口への安定的な原稿給紙が可能となる。
【００３３】
原稿挿入ガイド６１４上にリブ６１５が突設されている。後述するように、リブ６１５は、原稿挿入ガイド６１４に乗り上げた原稿が原稿搬送機構６５の給紙口に進入するのを阻止する役割をする。本実施形態では、リブ６１５は、上カバー６５１の先端部６５１ａよりも原稿搬送方向下流側となる原稿挿入ガイド６１４の上面に突設され、リブ６１５よりも原稿搬送方向下流側となる上カバー６５１の最下端部６１５ｂよりも高い位置まで延びる。但し、リブ６１５の配設位置を、原稿搬送方向において先端部６５１ａの同様の位置、又は若干上流側の位置とすることも可能である。
【００３４】
原稿搬送機構６５の給紙口付近において、原稿搬送機構６５の上カバー６５１の先端部６５１ａは原稿挿入ガイド６１４の上方位置に配設されている。上カバー６５１の先端部６５１ａは、原稿挿入ガイド６１４に覆い被さっている。
【００３５】
リブ６１５は、原稿搬送方向上流側の上カバー６５１の下端部である先端部６１５ａと、原稿挿入ガイド６１４の上面とで形成される開口Ｇよりも、原稿搬送方向下流側に配設されている。リブ６１５よりも原稿搬送方向下流側においては、原稿挿入ガイド６１４の上面に対して空隙を有して、上カバー６５１の最下端部６５１ｂが配設されている。リブ６１５は、当該最下端部６５１ｂよりも高い位置まで延びる。
【００３６】
すなわち、原稿搬送機構６５の上カバー６５１に覆われた原稿挿入ガイド６１４の上面の上方には、図５に示す側面視において、上記先端部６５１ａと最下端部６５１ｂとに挟まれた空間（以下、凹部）６５２が形成されており、上カバー６５１を閉じたときにリブ６１５が凹部６５２内に収まるようになっている。
【００３７】
原稿搬送機構６５の上カバー６５１を閉じた状態において、上カバー６５１と原稿挿入ガイド６１４との間に開口Ｇが存在する。原稿載置トレイ６１への原稿の載置の仕方によっては、原稿Ｐが原稿挿入ガイド６１４に乗り上げて、上カバー６５１と原稿挿入ガイド６１４と開口Ｇに挿入される場合がある。そのような場合であっても、開口Ｇから原稿搬送機構６５の給紙口への経路の途中にリブ６１５が存在するため、原稿Ｐの先端がリブ６１５に当たって原稿Ｐが原稿搬送機構６５の給紙口へ進入できないようになっている。
【００３８】
なお、例えば、リブ６１５を、原稿搬送方向上流側の上記先端部６１５ａと、原稿搬送方向下流側の最下端部６５１ｂの両方よりも高い位置まで延びるように形成することで、より確実に原稿搬送機構６５の給紙口への原稿Ｐの進入を防止できる。
【００３９】
但し、リブ６１５は、最下端部６５１ｂに限られず、原稿挿入ガイド６１４上面の上方に配置された上カバー６５１の最下部となるいずれかの部分よりも高い位置まで延びていれば、原稿搬送機構６５の給紙口への原稿Ｐの進入を防止する効果が得られる。
【００４０】
以上のように、本実施形態によれば、原稿が原稿挿入ガイド６１４に乗り上げて原稿搬送機構６５の上カバー６５１と原稿挿入ガイド６１４との開口Ｇに誤挿入された場合であっても、その原稿Ｐが原稿搬送機構６５の給紙口に進入できなくされる。これにより、原稿搬送装置６における原稿の給紙不良を防止することができる。
【００４１】
以上、本発明の実施形態について説明したが、本発明は上記実施の形態の構成に限られず種々の変形が可能である。例えば、リブ６１５を板状の小片部材で形成せずに棒状の突起部材で形成してもよい。また、原稿搬送機構６５により示した構成は、原稿搬送のみではなく記録紙搬送にも適用が可能である。本発明に係る原稿搬送装置には、記録紙を搬送する装置も含まれる。また、例えば、上記実施形態では、本発明に係る原稿搬送装置を複合機に搭載した例を説明しているが、これは一例に過ぎず、本発明に係る画像搬送装置は、他の電子機器、例えば、コピー機、ファクシミリ装置、スキャナー装置等で搭載可能である。
【００４２】
また、上記実施形態では、図１乃至図５を用いて上記実施形態により示した構成及び処理は、本発明の一実施形態に過ぎず、本発明を当該構成及び処理に限定する趣旨ではない。
【符号の説明】
【００４３】
６        原稿搬送装置
６１      原稿載置トレイ
６１１    原稿載置テーブル
６１２    カーソル
６１３    原稿幅ガイド
６１４    原稿挿入ガイド
６１５    リブ
６５      原稿搬送機構
６５１    上カバー
６６      原稿排出トレイ
【図１】
2015187028.tif 000003
【図２】
2015187028.tif 000004
【図３】
2015187028.tif 000005
【図４】
2015187028.tif 000006
【図５】
2015187028.tif 000007